(57)【要約】【課題】開閉操作部を開閉扉に組み付ける作業を簡略化させ、開閉操作部の軸支部分の開口を必要以上に広くすることのない構成のシート搬送装置及び画像形成装置を提供する。【解決手段】シート搬送装置は、把手部１３及び回動シャフト１２を有する開閉操作部１０と、把手部１３を開閉操作可能に収納する把手収納部１１ｃと、回動シャフト両端部を夫々支持可能な第１及び第２支持開口部２０１，２０２とを有する開閉扉１１とを備える。各支持開口部２０１，２０２が、回動シャフト１２の端部を支持する軸受け孔と、回動シャフト端部を挿入した状態で、把手部の把手収納部側の先端が把手収納部の上端部１１ｅ，１１ｆ，１１ｇに干渉しない位置となるように把手部１３を把手収納部１１ｃから退避可能となるように軸受け孔に連続して形成された退避用切欠き部とを有する。【選択図】図２
2017049287.tif 000002
【特許請求の範囲】
【請求項１】
把手部が一体に設けられた回動シャフトを有する開閉操作手段と、
装置本体に対し開閉可能に支持され、前記把手部を開閉操作可能に収納する把手収納部と、前記回動シャフトの両端部をそれぞれ支持可能な第１及び第２支持開口部と、を有する開閉扉と、を備え、
前記第１及び第２支持開口部がそれぞれ、
挿入された前記回動シャフトの端部を支持する軸受け孔と、
前記回動シャフトの端部を挿入した状態で、前記把手部の前記把手収納部側の先端が前記把手収納部の上端部に干渉しない位置となるように前記把手部を前記把手収納部から離れる方向に退避可能に前記軸受け孔に連続して形成された退避用切欠き部と、を有する、
ことを特徴とするシート搬送装置。
【請求項２】
前記軸受け孔は、略円形状に形成され、
前記退避用切欠き部は、前記軸受け孔の内径寸法より小さい幅寸法に形成されている、
ことを特徴とする請求項１に記載のシート搬送装置。
【請求項３】
前記退避用切欠き部は、前記軸受け孔から離れた位置での前記幅寸法が前記軸受け孔に近接する位置での前記幅寸法より幅広に形成されている、
ことを特徴とする請求項２に記載のシート搬送装置。
【請求項４】
前記把手部の回動操作により前記開閉扉を前記装置本体にロックするロック状態とロック解除するロック解除状態とに切り換え可能な第１及び第２ロック手段を備え、
前記第１及び第２ロック手段はそれぞれ、
前記開閉扉に前記回動シャフトを介して設けられた係合部材と、前記装置本体における前記係合部材と係合可能な位置に設けられた被係合部材と、を有し、前記開閉扉の閉じ動作に連動して前記係合部材を前記被係合部材に係合させて前記ロック状態とする、
ことを特徴とする請求項１乃至３のいずれか１項に記載のシート搬送装置。
【請求項５】
前記係合部材は、前記開閉扉に支持された前記回動シャフトの端部に装着された状態で前記軸受け孔に嵌合して前記回動シャフトの前記第１及び第２支持開口部での移動を規制する軸受部を有する、
ことを特徴とする請求項４に記載のシート搬送装置。
【請求項６】
前記係合部材は、前記回動シャフトの両端部にそれぞれ取り付けられるフック部材であり、
前記被係合部材は、前記装置本体における前記フック部材と係合可能な位置に取り付けられる係止突部である、
ことを特徴とする請求項４又は５に記載のシート搬送装置。
【請求項７】
請求項１乃至６のいずれか１項に記載のシート搬送装置と、
前記シート搬送装置により搬送されてくるシートに画像を形成する画像形成手段と、を備える、
ことを特徴とする画像形成装置。
【発明の詳細な説明】
【技術分野】
【０００１】
本発明は、複写機、プリンタ、ファクシミリ等の画像形成装置においてシートを搬送するシート搬送装置、及びこれを備えた画像形成装置に関する。
【背景技術】
【０００２】
従来、装置本体に対し開閉可能な外装カバー（開閉扉）に設けられた開閉レバー部として、外装カバーに回動可能に支持されたシャフト（回動シャフト）にフック部材とレバー部材（把手部）とが連結された構成のシート搬送装置が提案されている。開閉レバー部（開閉操作部）は、外装カバーの外部からレバー部材が回動操作された際に、シャフト両端部のフックを動作させてロックとロック解除の動作を可能にする（特許文献１参照）。
【先行技術文献】
【特許文献】
【０００３】
【特許文献１】特開２００４−２４６０６３号公報
【発明の概要】
【発明が解決しようとする課題】
【０００４】
しかしながら、特許文献１に記載されるような構成のシート搬送装置では、外装カバーに対して回動するシャフトと一体の開閉レバー部を外装カバーに組み付ける時の組立性の関係上、シャフトを組み付ける際のシャフト両端に対する開口部が広くなってしまう。そのため、外装カバー全体を組み立てた後、外装カバーを装置本体から開放した際には、広い開口部によりシャフト両端部との間にあいた隙間が大きく、別部材で開口部を覆わなければ外観を損なうなどの不都合を生じてしまう。また、レバー部材を、開閉扉に設けられたレバー部材収納部に収納してからシャフトの両端部近傍を支持部材で開閉扉に支持することも考えられる。しかしながら、その場合は、支持部材を用いてシャフトを開閉扉に取り付けるという工程が別途必要になり、作業が繁雑になる。
【０００５】
そこで本発明は、開閉操作部を開閉扉に組み付ける作業を簡略化させ、開閉操作部の軸支部分の開口を必要以上に広くすることなく外観を損なうことのない構成を備えたシート搬送装置及び画像形成装置を提供することを目的とする。
【課題を解決するための手段】
【０００６】
本発明は、シート搬送装置において、把手部が一体に設けられた回動シャフトを有する開閉操作手段と、装置本体に対し開閉可能に支持され、前記把手部を開閉操作可能に収納する把手収納部と、前記回動シャフトの両端部をそれぞれ支持可能な第１及び第２支持開口部と、を有する開閉扉と、を備え、前記第１及び第２支持開口部がそれぞれ、挿入された前記回動シャフトの端部を支持する軸受け孔と、前記回動シャフトの端部を挿入した状態で、前記把手部の前記把手収納部側の先端が前記把手収納部の上端部に干渉しない位置となるように前記把手部を前記把手収納部から離れる方向に退避可能に前記軸受け孔に連続して形成された退避用切欠き部と、を有することを特徴とする。
【発明の効果】
【０００７】
本発明によると、開閉操作部を開閉扉に組み付ける作業を簡略化させ、開閉操作部の軸支部分の開口を必要以上に広くすることなく、別部材で開口を覆わなくとも外観を損なうことのない構成の実現が可能になる。
【図面の簡単な説明】
【０００８】
【図１】本発明の実施形態に係るシート給送装置を備えた画像形成装置としてのレーザビームプリンタを示す概略断面図。
【図２】本発明の実施形態に係る開閉扉を内側から見た状態で示す斜視図。
【図３】本実施形態に係るフックを拡大して示す斜視図。
【図４】本実施形態に係る開閉扉を図２におけるＣ−Ｃ線で断面して矢視方向に見た状態で示す側面断面図。
【図５】本実施形態に係る支持開口部を拡大して示す側面図。
【図６】本実施形態に係る開閉扉に回動シャフトを組み付ける場合を示す斜視図。
【図７】図６の状態を更に進めた状態を示す開閉扉への回動シャフトを組み付ける場合を示す斜視図。
【発明を実施するための形態】
【０００９】
以下、図面に沿って本発明の実施形態について説明する。なお、以下の説明において、画像形成装置を正面から視た状態（図１の視点）を基準にして上下左右の位置関係を表すものとする。
【００１０】
［画像形成装置］
本実施形態に係る画像形成装置２０１は、図１にその概略構成を示すように、フルカラーレーザビームプリンタを一例とする画像形成装置である。画像形成装置２０１は、画像形成装置本体である装置本体２０１Ａ（プリンタ本体）の内部に、シートＰに画像を形成する画像形成部２０１Ｂ及びシートＰに画像を定着させる定着部２２０等を備えている。装置本体２０１Ａの上方には、原稿の画像データを読み取る画像読取装置２０２が、原稿の載置面が略水平となる姿勢で配置されている。画像読取装置２０２と装置本体２０１Ａとの間にはシートＰが排出される排出空間としての排出トレイ２３０が設けられている。また、装置本体２０１Ａには、画像形成部２０１ＢにシートＰを搬送するシート搬送部（シート搬送装置）２０１Ｅが設けられている。シート搬送部２０１Ｅは、装置本体２０１Ａの下部に配置されるシート給送装置１００Ａ，１００Ｂ，１００Ｃ，１００Ｄと、装置本体２０１Ａの右側部に配置される手差し給送装置１００Ｍとを有している。
【００１１】
画像形成部２０１Ｂは、レーザスキャナ２１０と、４個のプロセスカートリッジ２１１と、中間転写ユニット２０１Ｃとを備えた、所謂４ドラムフルカラー方式の画像形成部である。これらプロセスカートリッジは、それぞれイエロー（Ｙ）、マゼンタ（Ｍ）、シアン（Ｃ）及びブラック（Ｋ）の各色のトナー画像を形成する。各プロセスカートリッジ２１１は、像担持体としての感光体ドラム２１２、帯電手段としての帯電器２１３、現像手段としての現像器２１４、及びクリーニング手段としての不図示のクリーナ等を備えている。画像形成部２０１Ｂの上方には、各色のトナーを収容したトナーカートリッジ２１５が、装置本体２０１Ａに対して着脱可能に装着されている。
【００１２】
なお、本実施形態において、シート給送装置１００Ａ，１００Ｂ，１００Ｃ，１００Ｄは互いに同様の構成を有するため、以下ではこれらを総称してシート給送装置１００とも称する。上記画像形成部２０１Ｂは、シート搬送部（シート搬送装置）２０１Ｅにより搬送されてくるシートＰに画像を形成する画像形成手段を構成している。
【００１３】
シート給送装置１００は、装置本体２０１Ａに対して装着及び引き出し可能に構成されたシート収納庫１０６と、シート給送ユニット１４０と、シート給送ユニット１４０のシート給送方向の下流に配置された引き抜きローラ１２１とを有する。シート給送ユニット１４０には、ピックアップローラ１０２、フィードローラ１０７及びリタードローラ１０８が配置されている。
【００１４】
装置本体２０１Ａの一側面には、各シート給送ユニット１４０に対向する位置に、ボス部１１ａ，１１ｂ（図２）を介して回動可能に支持された開閉扉１１が取り付けられている。シート給送装置１００における各シート給送ユニット１４０に対向する開閉扉１１を開放することで、シート給送ユニット１４０や引き抜きローラ１２１の部位で発生したジャム（紙詰まり）を速やかに処理することが可能になる。
【００１５】
中間転写ユニット２０１Ｃは、中間転写体としての中間転写ベルト２１６が駆動ローラ２１６ａ及びテンションローラ２１６ｂ等に巻き掛けられて構成され、４つのプロセスカートリッジ２１１の上方に配置されている。中間転写ベルト２１６は、各プロセスカートリッジ２１１の感光体ドラム２１２に接触するように配置されると共に、不図示の駆動部に駆動される駆動ローラ２１６ａによって、反時計回り方向（矢印Ｑの方向）に回転駆動される。中間転写ユニット２０１Ｃは、各感光体ドラム２１２と対向する位置において中間転写ベルト２１６の内周面に当接する１次転写ローラ２１９を備えており、中間転写ベルト２１６と感光体ドラム２１２との間のニップ部として１次転写部Ｔ１が形成されている。また、画像形成部２０１Ｂは、駆動ローラ２１６ａと対向する位置において中間転写ベルト２１６の外周面に当接する２次転写ローラ２１７を備えている。この２次転写ローラ２１７と中間転写ベルト２１６との間のニップ部として、中間転写ベルト２１６に担持されたトナー像がシートＰに転写される２次転写部Ｔ２が形成されている。
【００１６】
上述のように構成される各プロセスカートリッジ２１１において、感光体ドラム２１２の表面には、レーザスキャナ２１０によって静電潜像が描き込まれた後、現像器２１４からトナーが供給されることで負極性に帯電した各色のトナー像が形成される。これらのトナー像は、１次転写ローラ２１９に正極性の転写バイアス電圧が印加されることで、各１次転写部Ｔ１において順次中間転写ベルト２１６へと多重転写（１次転写）されて、中間転写ベルト２１６にフルカラーのトナー像が形成される。
【００１７】
このようなトナー像の形成プロセスに並行して、シート搬送部２０１Ｅから給送されたシートＰはレジストレーションローラ対２４０へ向けて搬送され、このレジストレーションローラ対２４０によって斜行補正される。レジストレーションローラ対２４０は、中間転写ベルト２１６に形成されたフルカラーのトナー像の転写タイミングに合わせたタイミングで、シートＰを２次転写部Ｔ２に搬送する。中間転写ベルト２１６に担持されたトナー像は、２次転写ローラ２１７に正極性の転写バイアス電圧が印加されることで、２次転写部Ｔ２においてシートＰへと２次転写される。
【００１８】
トナー像を転写されたシートＰは、定着部２２０において加熱及び加圧され、カラー画像がシートＰに定着させられる。画像が定着したシートＰは、排出ローラ対２２５によって排出トレイ２３０へと排出されて積載される。なお、シートＰの両面に画像を形成する場合には、シートＰは定着部２２０を通過した後、反転搬送部２０１Ｄに設けられる正逆転可能な反転ローラ対２２２によってスイッチバックされる。そして、シートＰは再搬送通路Ｒを介して画像形成部２０１Ｂへと再度搬送され、裏面に画像を形成される。
【００１９】
［シート搬送部］
次に、本実施形態に係るシート搬送装置としてのシート搬送部２０１Ｅについて、図２〜図５に沿って説明する。なお、図２は、本実施形態に係る開閉扉１１を内側から見た状態で示す斜視図、図３は、本実施形態に係るフック部材１４，１５を拡大して示す斜視図である。図４は、本実施形態に係る開閉扉１１を図２におけるＣ−Ｃ線で断面して矢視方向に見た状態で示す側面断面図である。図５は、本実施形態に係る支持開口部を拡大して示す側面図である。
【００２０】
すなわち、本実施形態に係るシート搬送部２０１Ｅは、装置本体２０１Ａに対し軸２６を支点として開閉可能に支持され、把手収納部１１ｃ（図２参照）を有する開閉扉１１を備えている。外装カバーを兼用するこの開閉扉１１は、図２及び図４に示すように、装置本体２０１Ａに設けられた不図示の穴部にボス部１１ａ，１１ｂが回動可能に嵌合することで、装置本体２０１Ａに対して矢印Ｄ方向に回動可能に支持される。
【００２１】
装置本体２０１Ａの下部側面に軸２６を介して開閉可能に支持された開閉扉１１は、全体的に横方向に長い矩形状に形成され、幅方向の一側と他側にそれぞれ形成された側壁部２７，２８と、側壁部２７と側壁部２８間に形成された把手収納部１１ｃとを有する。把手収納部１１ｃは、把手部１３を開閉操作可能に収納する。側壁部２７は、開閉扉１１におけるボス部１１ａの位置から上方に立ち上がるように形成され、側壁部２８は、開閉扉１１におけるボス部１１ｂの位置から上方に立ち上がるように形成されている。側壁部２７，２８は、開閉扉１１の内面（図２に表れている面）に一体的に形成されている。また、把手収納部１１ｃは、図２及び図４に示すように、開閉扉１１の外面側（図４の右側）から内面側（図４の左側）に向かって膨出するように凹状に形成されている。
【００２２】
側壁部２７には第１支持開口部２０１が形成され、側壁部２８には第２支持開口部２０２が形成されている。側壁部２７，２８それぞれの第１及び第２支持開口部２０１，２０２には、開閉扉１１の幅方向（図２の左右方向）と同等の長さに形成された回動シャフト１２の両端部がそれぞれ挿入されて支持される。回動シャフト１２の軸方向の中央部には、把手収納部１１ｃ内に収納可能な把手部１３がネジ２９で一体的に固定されている。
【００２３】
把手部１３と、把手部１３が固定された回動シャフト１２とにより、開閉操作手段としての開閉操作部１０が構成されている。開閉操作部１０は、フック部材（係合部材）１４，１５が回動シャフト１２の両端部に夫々取り付けられ、かつ回動シャフト１２の軸方向中央部に把手部１３が固定された状態で開閉扉１１に回動可能に支持される。開閉操作部１０は、開閉扉１１に回動シャフト１２の両端部が回動可能に支持され、回動シャフト１２中央部に固定された状態で把手収納部１１ｃに収容された把手部１３を、図４矢印Ａ方向とその逆の方向に回動可能に構成される。開閉扉１１は、この回動操作により装置本体２０１Ａに対してロック解除状態とロック状態とに切り換えられる。
【００２４】
なお、ロック状態とは、装置本体２０１Ａ側に固定された係止突部（被係合部材）１６，１７に対してフック部材１４，１５がそれぞれ係合して開閉扉１１が装置本体２０１Ａに対してロックされる状態を意味する。また、ロック解除状態とは、係止突部１６，１７からフック部材１４，１５がそれぞれ外れて開閉扉１１が装置本体２０１Ａから解放された状態を意味する。
【００２５】
図２、図４及び図５に示すように、第１及び第２支持開口部２０１，２０２は、それぞれ軸受け孔２０ａと退避用切欠き部２０ｂとを有している。軸受け孔２０ａは、開閉操作部１０の回動シャフト１２の端部を挿入して回動支持可能な略円形状に形成されている。退避用切欠き部２０ｂは、軸受け孔２０ａから挿入した回動シャフト１２を把手収納部１１ｃから離れる方向（軸受け孔２０ａの半径方向（矢印Ｈの方向））に退避可能に切り欠かれている。退避用切欠き部２０ｂは、回動シャフト１２の端部を挿入した状態で回動シャフト１２を軸受け孔２０ａから離れる側に移動させた際に、把手部１３の先端１３ａを把手収納部１１ｃの上端部１１ｅ，１１ｆ，１１ｇに干渉させない位置に移動可能に形成される。ここで、把手収納部１１ｃにおける起立壁部の上端部１１ｅとその対向側の起立壁部の上端部１１ｆとの間隔は、把手部１３の幅方向（回動シャフト１２の軸方向）の大きさよりも少し大きく設計されている。
【００２６】
退避用切欠き部２０ｂは、把手部１３の把手収納部側の先端１３ａが把手収納部１１ｃの上端部１１ｅ〜１１ｇに干渉しない位置となるように把手部１３を把手収納部１１ｃから離れる方向に退避可能となるように軸受け孔２０ａに連続して形成されている。軸受け孔２０ａの上端部と下端部には、フック部材１４，１５の各軸受部１４ｂ，１５ｂ（図３（ａ），（ｂ）参照）をそれぞれ受けて支持する、円弧状に突出した支持突部２０ｃ，２０ｄが形成されている。軸受部１４ｂ，１５ｂは、開閉扉１１に支持された回動シャフト１２の両端部に夫々取り付けられて軸受け孔２０ａに嵌合することにより、回動シャフト１２の第１及び第２支持開口部内での移動を規制する。
【００２７】
図５に示すように、退避用切欠き部２０ｂは、切欠き端部２０ｅ，２０ｆ，２０ｇで囲まれるように形成されている。側壁部２７，２８の各上下方向における幅寸法Ｅ，Ｇはそれぞれ、軸受け孔２０ａの内径寸法Ｆより小さくなるように設計されている。即ち、退避用切欠き部２０ｂは、軸受け孔２０ａに近接する位置での幅寸法Ｅが幅狭に形成され、軸受け孔２０ａから離れた位置での幅寸法Ｇが、軸受け孔２０ａに近接する位置での幅寸法Ｅより幅広になるように、切欠き端部２０ｅ，２０ｆが設定されている。
【００２８】
本実施形態では、開閉操作部１０における把手部１３の回動操作により開閉扉１１を装置本体２０１Ａにロックするロック状態とロック解除するロック解除状態とに切り換え可能な第１ロック部１８及び第２ロック部１９を備えている。なお、第１ロック部１８は第１ロック手段を構成し、第２ロック部１９は第２ロック手段を構成している。
【００２９】
第１ロック部１８は、図２に示すように、開閉扉１１に回動シャフト１２を介して支持されたフック部材１４と、装置本体２０１Ａ側に固定され、フック部材１４が係合される係止突部１６とを有している。第１ロック部１８は、開閉扉１１を閉じる動作でフック部材１４が係止突部１６と係合することにより、開閉扉１１を装置本体２０１Ａ側にロックする。
【００３０】
また、第２ロック部１９は、開閉扉１１に回動シャフト１２を介して支持されたフック部材１５と、装置本体２０１Ａ側に固定され、フック部材１５が係合される係止突部１７とを有している。第２ロック部１９は、開閉扉１１を閉じる動作でフック部材１５が係止突部１７と係合することにより、開閉扉１１を装置本体２０１Ａ側にロックする。係止突部１６，１７は、装置本体２０１Ａにおけるフック部材１４，１５と係合可能な位置に設けられている。
【００３１】
フック部材１４は、図２及び図３（ｂ）に示すように、回動シャフト１２の一端（図２の右側）に装着される軸受部１４ｂと、係止突部１６に係合可能なフック部１４ａとを有している。さらにフック部材１４は、側壁部２７の所定位置に形成されたバネ掛け部２４に一端が引っ掛けられた引張りコイルバネ２２の他端が引っ掛けられるバネ掛け部１４ｅと、係止部１４ｃとを有している。軸受部１４ｂは、回動シャフト１２の一端部に嵌め込んだ状態で装着される。フック部１４ａは、軸受部１４ｂから係止突部１６の方向に突出する。バネ掛け部１４ｅは、軸受部１４ｂから係止突部１６と反対の方向に突出する。係止部１４ｃは、軸受部１４ｂから回動シャフト１２の軸方向に突出してその鈎部１４ｄを回動シャフト１２の係合部１２ａ（図６参照）に係止させることで、回動シャフト１２の一端からフック部材１４が外れることを規制する。
【００３２】
フック部材１５は、図２及び図３（ａ）に示すように、回動シャフト１２の一端（図２の左側）に装着される軸受部１５ｂと、係止突部１７に係合可能なフック部１５ａとを有している。さらにフック部材１５は、側壁部２８の所定位置に形成されたバネ掛け部２５に一端が引っ掛けられた引張りコイルバネ２３の他端が引っ掛けられるバネ掛け部１５ｅと、係止部１５ｃとを有している。軸受部１５ｂは、回動シャフト１２の他端部に嵌め込んだ状態で装着される。フック部１５ａは、軸受部１５ｂから係止突部１７の方向に突出する。バネ掛け部１５ｅは、軸受部１５ｂから係止突部１６と反対の方向に突出する。係止部１５ｃは、軸受部１５ｂから回動シャフト１２の軸方向に突出してその鈎部１５ｄを回動シャフト１２の係合部１２ｂ（図６参照）に係止させることで、回動シャフト１２の他端からフック部材１５が外れることを規制する。
【００３３】
［作用］
以上のシート搬送部２０１Ｅでは、開閉扉両端の側壁部２７，２８の各支持開口部２０１，２０２に一端部及び他端部を夫々挿入された回動シャフト１２が、両端部に夫々軸受部１４ｂ，１５ｂが嵌め込まれた状態でフック部材１４，１５が固定されている。そして、開閉扉１１が装置本体２０１Ａに対し閉じられている場合、フック部材１４，１５が装置本体側の係止突部１６，１７にそれぞれ係合して、ロック状態となっている。
【００３４】
このロック状態で、ユーザーが把手収納部１１ｃの内側に図４右側から手を入れて、把手部１３の先端１３ａに指を引っ掛けて把手部１３を矢印Ａ方向に回動させる。これにより、回動シャフト１２及びフック部材１４，１５が連動し、フック部材１４，１５がそれぞれ係止突部１６，１７から外れてロック解除され、開閉扉１１が装置本体２０１Ａから開放される。一方、このロック解除から開閉扉１１を装置本体２０１Ａ側に回動させながら押し込むと、フック部材１４，１５がそれぞれ係止突部１６，１７に係合することにより、開閉扉１１が装置本体２０１Ａに対し閉じられたロック状態となる。
【００３５】
次に、上述した開閉扉１１に開閉操作部１０を装着する際の作用について、図６及び図７を参照して説明する。なお、図６は、本実施形態に係る開閉扉１１に回動シャフト１２を組み付ける場合を示す斜視図である。図７は、図６の状態を更に進めた状態を示す開閉扉１１への回動シャフト１２を組み付ける場合を示す斜視図である。
【００３６】
まず、図６に示すように、軸方向中央部に把手部１３が固定された状態の回動シャフト１２の一端部を、例えば側壁部２７における退避用切欠き部２０ｂに挿通させる。そして、回動シャフト１２の他端部を側壁部２８側の退避用切欠き部２０ｂに挿通させるように、把手部１３が把手収納部１１ｃの上端部１１ｅと対向側の上端部１１ｆとの間に到達するまで回動シャフト１２を矢印Ｂ方向に移動させる（図７参照）。
【００３７】
引き続き、回動シャフト１２の両端部を、側壁部２７，２８それぞれにおける退避用切欠き部２０ｂから軸受け孔２０ａに向けて移動させる。その後、各軸受け孔２０ａから突出している回動シャフト１２の両端部に対し、フック部材１４，１５（図２）をそれぞれに取り付ける。フック部材１４，１５の各軸受部１４ｂ，１５ｂ（図３）が、各軸受け孔２０ａにそれぞれ挿入されることで、開閉扉１１に対する回動シャフト１２の回動位置が決まる。
【００３８】
なお、本実施形態では、側壁部２７側の退避用切欠き部２０ｂに回動シャフト１２を通してから組み始めたが、これに限らず、側壁部２８側の退避用切欠き部２０ｂに回動シャフト１２を通してから組み始めても良いことは勿論である。
【００３９】
以上の本実施形態では、各支持開口部２０１，２０２が、軸受け孔２０ａと、把手部１３の先端１３ａが把手収納部１１ｃの上端部１１ｅ〜１１ｇに干渉しない位置となるように把手部１３を把手収納部１１ｃから退避させる退避用切欠き部２０ｂとを有する。このため、開閉操作部１０を開閉扉１１に組み付ける際の工程を簡略化できると共に、開閉操作部１０の軸支部分の開口である軸受け孔２０ａ及び退避用切欠き部２０ｂを必要以上に広くしない構成が得られる。このように、回動シャフト１２を一体に有する開閉操作部１０を開閉扉１１に組み付ける際に、回動シャフト両端部に対応する軸受け孔２０ａを特に広くすることがない。開閉扉全体の組み立て後、開閉扉１１を装置本体２０１Ａから開放した場合でも、軸受け孔２０ａにて回動シャフト両端部との間にあいた隙間を目立たなくすることができ、軸受け孔２０ａと回動シャフト間の隙間を別部材で覆わなくとも外観を損なうことがない。
【００４０】
そして、開閉扉１１の側壁部２７，２８に退避用切欠き部２０ｂが夫々設けられたことで、把手部１３に対して把手収納部１１ｃの上端部１１ｅ，１１ｆ，１１ｇを極力近接させるように形成することができる。このため、回動シャフト近傍の開口部を覆うような別部材が不要となり、部品点数の削減が可能になる。
【００４１】
また、第１ロック部１８及び第２ロック部１９が夫々、開閉扉１１に回動シャフト１２を介して設けられたフック部材１４，１５と、装置本体２０１Ａにおけるフック部材１４，１５と係合可能な位置に設けられた係止突部１６，１７とを有する。このため、開閉扉１１の閉じ動作に連動してフック部材１４，１５を係止突部１６，１７に係合させて確実にロック状態とすることができる。そして、開閉扉１１の外側から把手部１３を回動操作するだけで、フック部材１４，１５を係止突部１６，１７から容易に外してロックを確実に解除することができる。
【００４２】
また、フック部材１４，１５が、開閉扉１１に支持された回動シャフト１２の端部に装着された状態で軸受け孔２０ａに嵌合して回動シャフト１２の第１及び第２支持開口部２０１，２０２内での移動を規制する軸受部１４ｂ，１５ｂを有する。このため、把手部１３を把手収納部１１ｃに収納して回動シャフト両端部を各支持開口部２０１，２０２に支持した状態で、各軸受け孔２０ａに軸受部１４ｂ，１５ｂを嵌合させて各鈎部１４ｄ，１５ｄを係合部１２ａ，１２ｂに係合させることができる。これにより、回動シャフト１２の一端及び他端からフック部材１４，１５が外れることを規制しつつ、開閉扉１１に対する回動シャフト１２の回動位置を決めることができる。
【００４３】
また、本実施形態では、第１及び第２支持開口部２０１，２０２の各退避用切欠き部２０ｂが、軸受け孔２０ａの近傍では狭く、遠い位置では幅広な穴形状とされる。このため、退避用切欠き部２０ｂを極力狭く形成しながらも、回動シャフト１２を開閉扉１１に組み付ける際に用いる位置である切欠き端部２０ｇ付近では、広い穴形状の部分に通して作業を進めることができ、組み付け作業を行い易くすることができる。一方、軸受け孔２０ａに近づくにつれて幅狭になる穴形状のため、軸受け孔２０ａを円に近い穴形状として形成することができ、組み易さと取り付けた状態での安定性との両立が可能になる。
【００４４】
また、本実施形態では、回動シャフト１２とは別部品の把手部１３をネジ２９で固定して回動シャフト１２に一体に設けていたが、この構成に限らず、把手部１３に対応する部分を回動シャフト１２の中央部に一体部品として形成することも可能である。その場合にも同様の機能を得ることが可能である。
【００４５】
なお、本実施形態では、電子写真方式の画像形成装置２０１を用いて説明したが、これに代えて、例えば、ノズルからインク液を吐出させることでシートに画像を形成するインクジェット方式の画像形成装置に用いることも可能である。
【符号の説明】
【００４６】
１０…開閉操作部（開閉操作手段）／１１…開閉扉／１１ｃ…把手収納部／１１ｅ，１１ｆ，１１ｇ…上端部／１２…回動シャフト／１３…把手部／１３ａ…把手部の先端／１４，１５…フック部材（係合部材）／１４ｂ，１５ｂ…軸受部／１６，１７…係止突部（被係合部材）／１８…第１ロック部（第１のロック手段）／１９…第２ロック部（第２ロック手段）／２０１…第１支持開口部／２０２…第２支持開口部／２０ａ…軸受け孔／２０ｂ…退避用切欠き部／２０１…画像形成装置／２０１Ａ…装置本体／２０１Ｂ…画像形成部（画像形成手段）／２０１Ｅ…シート搬送部（シート搬送装置）／Ｅ…退避用切欠き部の幅寸法／Ｆ…軸受け孔の内径寸法／Ｇ…退避用切欠き部の幅寸法
【図１】
2017049287.tif 000003
【図２】
2017049287.tif 000004
【図３】
2017049287.tif 000005
【図４】
2017049287.tif 000006
【図５】
2017049287.tif 000007
【図６】
2017049287.tif 000008
【図７】
2017049287.tif 000009